(57)【要約】  【課題】異なる作業員が相互に関連付けられたカメラ画像を簡単に撮影できる環境評価データ収集システム及びプログラムを提供する。  【解決手段】複数の環境調査地点Ｐが設定された地図Ｍと各地点Ｐの調査項目Ｃと項目Ｃ毎の撮影仕様Ｅ及び撮影画像Ｇとをサーバー１０に登録し，カメラ２３及びＧＰＳ測定器２２を有する複数の携帯デバイス２０を無線通信網１経由でサーバー１０に接続する。デバイス２０に地図Ｍを読み出してＧＰＳ測定値と重ねて表示し，地図Ｍ上の何れかの調査地点Ｐｉを指定したときにその調査地点Ｐｉの調査項目Ｃｊを表示し，何れかの調査項目Ｃｊを指定したときにその項目Ｃｊの登録済撮影画像Ｇｋ及び画像未登録の撮影仕様Ｅｋを表示する。そして，画像未登録の撮影仕様Ｅｋを指定したときにカメラ２３をその仕様Ｅｋに基づいて起動し，その仕様の画像Ｇｋを日付と共にサーバー１０へ登録する。【選択図】        図１
2017027474.tif 000002
【特許請求の範囲】
【請求項１】
複数の環境調査地点が設定された地図と各調査地点における調査項目と調査項目毎の撮影仕様及び撮影画像とを登録するサーバー，前記サーバーに無線通信網を介して接続され且つカメラ及びＧＰＳ測定器を有する複数の携帯デバイス，前記デバイスにサーバーの地図を読み出して当該デバイスのＧＰＳ測定値と重ねて表示する地図表示手段，前記デバイスに表示された地図上の何れかの調査地点を指定したときに当該調査地点の調査項目の一覧をサーバーから読み出して表示する項目表示手段，前記デバイスに表示された何れかの調査項目を指定したときに当該項目の登録済撮影画像及び画像未登録の撮影仕様の一覧をサーバーから読み出して表示する画像表示手段，並びに前記デバイスに表示された画像未登録の撮影仕様を指定したときに当該デバイスのカメラを当該仕様に基づいて起動し且つ当該仕様の撮影画像を日付と共にサーバーへ登録する画像登録手段を備え，前記デバイスの携帯者に複数の環境調査地点を移動させながら登録仕様の撮影画像を環境評価データとして収集させてなる環境評価データ収集システム。
【請求項２】
請求項１のシステムにおいて，前記サーバーに前記携帯デバイスの通信アドレスを登録し，前記サーバーへの撮影画像登録時にサーバーから登録された携帯デバイスに登録発生を通知する通知手段，及び前記通知に対する各デバイスからの応答を撮影画像と共に記録する応答記録手段を設けてなる環境評価データ収集システム。
【請求項３】
請求項１又は２のシステムにおいて，前記携帯デバイスのカメラの撮影対象までの距離を計測する距離計測手段，及び前記計測距離からカメラの撮影画像にスケールを表示するスケール表示手段を設けてなる環境評価データ収集システム。
【請求項４】
請求項１から３の何れかのシステムにおいて，前記携帯デバイスに表示された地図上に新規な環境調査地点を設定して前記サーバーに登録する調査地点設定手段，前記新規な調査地点又は既存の調査地点に新たな調査項目を設定して前記サーバーに登録する調査項目設定手段，及び前記新規な調査項目又は既存の調査項目に新たな撮影仕様を設定して前記サーバーに登録する撮影仕様登録手段を設けてなる環境評価データ収集システム。
【請求項５】
無線通信網を介してサーバーに接続され且つカメラ及びＧＰＳ測定器を有する携帯デバイスの携帯者に複数の環境調査地点を移動させながら登録仕様の撮影画像を環境評価データとして収集させるため，前記サーバーを複数の環境調査地点が設定された地図と各調査地点における調査項目と調査項目毎の撮影仕様及び撮影画像とを登録する記憶手段として機能させ，前記複数の携帯デバイスをそれぞれ，前記デバイスにサーバーの地図を読み出して当該デバイスのＧＰＳ測定値と重ねて表示する地図表示手段，前記デバイスに表示された地図上の何れかの調査地点を指定したときに当該調査地点の調査項目の一覧をサーバーから読み出して表示する項目表示手段，前記デバイスに表示された何れかの調査項目を指定したときに当該項目の登録済撮影画像及び画像未登録の撮影仕様の一覧をサーバーから読み出して表示する画像表示手段，並びに前記デバイスに表示された画像未登録の撮影仕様を指定したときに当該デバイスのカメラを当該仕様に基づいて起動し且つ当該仕様の撮影画像を日付と共にサーバーへ登録する画像登録手段として機能させてなる環境評価データ収集プログラム。
【請求項６】
請求項５のプログラムにおいて，前記サーバーを，前記携帯デバイスの通信アドレスを登録する記憶手段，前記サーバーへの撮影画像登録時にサーバーから登録された携帯デバイスに登録発生を通知する通知手段，及び前記通知に対する各デバイスからの応答を撮影画像と共に記録する応答記録手段として機能させてなる環境評価データ収集プログラム。
【請求項７】
請求項５又は６のプログラムにおいて，前記携帯デバイスを，前記携帯デバイスのカメラの撮影対象までの距離を計測する距離計測手段，及び前記計測距離からカメラの撮影画像にスケールを表示するスケール表示手段として機能させてなる環境評価データ収集プログラム。
【請求項８】
請求項５から７の何れかのプログラムにおいて，前記携帯デバイスを，前記携帯デバイスに表示された地図上に新規な環境調査地点を設定して前記サーバーに登録する調査地点設定手段，前記新規な調査地点又は既存の調査地点に新たな調査項目を設定して前記サーバーに登録する調査項目設定手段，及び前記新規な調査項目又は既存の調査項目に新たな撮影仕様を設定して前記サーバーに登録する撮影仕様登録手段として機能させてなる環境評価データ収集プログラム。
【発明の詳細な説明】
【技術分野】
【０００１】
本発明は環境評価データ収集システム及びプログラムに関し，とくに土木建設工事を実施する際に講じる環境保全対策の効果を評価するためのデータを収集するシステム及びプログラムに関する。
【背景技術】
【０００２】
例えばダム建設工事のような長期間・広範囲にわたる土木建設工事を実施する場合に，周辺の自然環境に与える影響を予め評価し，適切な環境保全対策（影響の回避対策，低減対策，代償対策等）を講じることが求められる。ただし，現場周辺の状況は工事の進捗に応じて変化するので，環境保全対策を有効なものとするためには，変化する現場周辺の状況に合わせて対策の内容を適宜調整し又は追加することが必要である。このため，工事開始前から工事の各段階にわたり，必要なときは工事終了後（施設等の供用開始後）にもわたって，現場周辺の環境データを継続的に収集（モニタリング）して環境保全対策の効果を評価（確認）することが併せて求められる。収集する環境データには大気データ，土壌データ，水質データ等も含まれるが，とくに自然との触れ合いや生物多様性等の保全対策を評価する場合は，現場周辺の景観データ・動物データ・植物データ・生態系データ等（以下，これらを本明細書において環境評価データという）の収集が必要となる。
【０００３】
環境保全対策の効果を評価するためには，現場周辺の単一地点における調査では足りず，面的に広がる現場周辺の複数地点においてそれぞれ環境評価データを継続的に収集することが必要である。また，評価に際して異なる地点・時間の環境評価データを相互に関連付けることが必要であり，環境評価データの収集には他の地点・時間のデータとの関連付けを踏まえた専門知識（ノウハウ）が必要となる。このため従来は，環境評価の専門知識を有する技術者が，自ら現場周辺の複数の地点にそれぞれ赴いて景観・動物・植物・生態系等を肉眼で確認し，紙の地図や野帳，カメラ等に記録を残しながら環境評価データを収集する作業を定期的に繰り返している。紙の地図や野帳による記録に代えて，屋外の環境データ等の収集に際してカメラ及びＧＰＳ測定器（全地球測位システム）を含む携帯デバイスを用いることが提案されており（特許文献１参照），環境保全対策の評価に際してＧＩＳ（地理情報システム）を有するコンピュータを利用することも提案されている（特許文献２参照）。
【先行技術文献】
【特許文献】
【０００４】
【特許文献１】特開２０１３−１１７９４３号公報
【特許文献２】特開２００６−２１５６０８号公報
【発明の概要】
【発明が解決しようとする課題】
【０００５】
しかし，上述した従来の環境評価データの収集作業は，環境評価の専門知識を有していない一般の作業員では十分に役割を果たすことができない問題点がある。すなわち，環境評価の専門技術者は人数が限られており，データ収集作業に従事できる日数も限られるので，専門技術者の収集する環境評価データだけでは環境評価に必要なデータが確保できず，品質が維持できない場合があり，そのような場合は一般の作業員が協力して環境評価データの収集頻度を高めることが必要となる。ただし，調査すべき地点が紙の地図上に記録されているだけでは，作業員が調査場所に容易に到達できず，調査に時間がかかってしまう。また，調査場所に到達できたとしても，調査すべき項目（景観・動物・植物・生態系等）が野帳に記録されているだけでは，作業員の収集する調査データに漏れを生じるおそれがある。一般の作業員が環境評価データの収集に協力するためには，調査すべき地点及び項目を一般の作業員が簡単に把握できることが必要である。
【０００６】
本発明者は，カメラ及びＧＰＳ測定器を有する携帯デバイス（特許文献１参照）に工事現場の周辺地図や調査地点，調査項目等を予め登録しておくことに注目した。携帯デバイスに周辺地図と調査地点と調査項目とを登録しておけば，そのデバイスを携帯した一般の作業員が表示された地図を参照しながら調査地点に比較的容易に到達することが期待でき，調査場所に到達した作業員が携帯デバイスに表示された調査項目に沿って環境評価データを収集することにより調査データの漏れを防止することが期待できる。しかし，本発明者らの予備的検討によると，調査データに漏れがない場合であっても，カメラの撮影仕様（倍率，明るさ等）が作業員毎に大きくばらつくため，各作業員による異なる調査地点・時間のカメラ画像を相互に関連付けることができず，収集したデータを有効に利用できないことが経験された。一般の作業員の協力を得て環境保全対策の評価品質を高めるためには，複数の作業員が他の地点・時間の調査との関連付けを踏まえたカメラ画像を簡単に撮影できることが必要である。
【０００７】
そこで本発明の目的は，複数の作業員が相互に関連付けられたカメラ画像を簡単に撮影できる環境評価データ収集システム及びプログラムを提供することにある。
【課題を解決するための手段】
【０００８】
図１のブロック図を参照するに，本発明による環境評価データ収集システムは，複数の環境調査地点Ｐが設定された地図Ｍとその各調査地点Ｐにおける調査項目Ｃとその項目Ｃ毎の撮影仕様Ｅ及び撮影画像Ｇ（図２参照）とを登録するサーバー１０，サーバー１０に無線通信網１を介して接続され且つカメラ２３及びＧＰＳ測定器２２を有する複数の携帯デバイス２０，デバイス２０にサーバー１０の地図Ｍを読み出して当該デバイスのＧＰＳ測定値と重ねて表示する地図表示手段３２（図３参照），デバイス２０に表示された地図Ｍ上の何れかの調査地点Ｐ（例えば調査地点Ｐ２）を指定したときにその調査地点Ｐの調査項目Ｃの一覧をサーバー１０から読み出して表示する項目表示手段３４（図４参照），デバイス２０に表示された何れかの調査項目Ｃ（例えば調査項目Ｃ２）を指定したときにその項目Ｃの登録済撮影画像Ｇ及び画像未登録の撮影仕様Ｅの一覧をサーバー１０から読み出して表示する画像表示手段３６（図５参照），並びにデバイス２０に表示された画像未登録の撮影仕様Ｅを指定したときにそのデバイス２０のカメラ２３をその仕様Ｅに基づいて起動し且つその仕様の撮影画像Ｇを日付と共にサーバー１０へ登録する画像登録手段３７を備え，デバイス２０の携帯者Ａ（図１（Ａ）参照）に複数の環境調査地点Ｐ１〜Ｐ７を移動させながら登録仕様Ｅの撮影画像Ｇを環境評価データとして収集させてなるものである。
【０００９】
また，図１の実施例を参照するに，本発明による環境評価データ収集プログラムは，無線通信網１を介してサーバー１０に接続され且つカメラ２３及びＧＰＳ測定器２２を有する携帯デバイス２０の携帯者に複数の環境調査地点Ｐ１〜Ｐ７を移動させながら登録仕様Ｅの撮影画像Ｇを環境評価データとして収集させるため，サーバー１０を複数の環境調査地点Ｐが設定された地図Ｍとその各調査地点Ｐにおける調査項目Ｃとその項目Ｃ毎の撮影仕様Ｅ及び撮影画像Ｇ（図２参照）とを登録する記憶手段１４として機能させ，複数の携帯デバイス２０をそれぞれ，デバイス２０にサーバー１０の地図Ｍを読み出して当該デバイスのＧＰＳ測定値と重ねて表示する地図表示手段３２（図３参照），デバイス２０に表示された地図Ｍ上の何れかの調査地点Ｐ（例えば調査地点Ｐ２）を指定したときにその調査地点Ｐの調査項目Ｃの一覧をサーバー１０から読み出して表示する項目表示手段３４（図４参照），デバイス２０に表示された何れかの調査項目Ｃ（例えば調査項目Ｃ２）を指定したときにその項目Ｃの登録済撮影画像Ｇ及び画像未登録の撮影仕様Ｅの一覧をサーバー１０から読み出して表示する画像表示手段３６（図５参照），並びにデバイス２０に表示された画像未登録の撮影仕様Ｅを指定したときにそのデバイス２０のカメラ２３をその仕様Ｅに基づいて起動し且つその仕様の撮影画像Ｇを日付と共にサーバー１０へ登録する画像登録手段３７として機能させてなるものである。
【００１０】
好ましい実施例では，図１（Ｂ）に示すように，サーバー１０を，携帯デバイス２０の通信アドレスＵを登録する記憶手段１４，サーバー１０への撮影画像Ｇの登録時にサーバー１０から登録された携帯デバイス２０に登録発生を通知する通知手段１６，及び通知に対する各デバイス２０からの応答を撮影画像Ｇと共に記録する応答記録手段１７として機能させる。更に好ましい実施例では，図６に示すように，携帯デバイス２０を，携帯デバイス２０のカメラ２３の撮影対象Ｂまでの距離Ｌを計測する距離計測手段３９，及び計測距離Ｌからカメラ２３の撮影画像Ｇにスケールを表示するスケール表示手段４０として機能させる。
【００１１】
望ましい実施例では，図１（Ｂ）に示すように，携帯デバイス２０を，携帯デバイス２０に表示された地図Ｍ上に新規な環境調査地点Ｐを設定してサーバー１０に登録する調査地点設定手段３３（図３の新規ボタンを参照），新規な調査地点Ｐ又は既存の調査地点Ｐに新たな調査項目Ｃを設定してサーバー１０に登録する調査項目設定手段３５（図４の新規ボタンを参照），及び新規な調査項目Ｃ又は既存の調査項目Ｃに新たな撮影仕様Ｅを設定してサーバー１０に登録する撮影仕様登録手段３８（図５の新規ボタンを参照）として機能させる。
【発明の効果】
【００１２】
本発明の環境評価データ収集システム及びプログラムは，サーバー１０を複数の環境調査地点Ｐが設定された地図Ｍと調査項目Ｃと撮影仕様Ｅ及び撮影画像Ｇとを登録する記憶手段１４として機能させ，そのサーバー１０に無線通信網１を介して接続され且つカメラ２３及びＧＰＳ測定器２２を有する複数の携帯デバイス２０をそれぞれ，サーバー１０の地図Ｍを読み出してデバイスのＧＰＳ測定値と重ねて表示する地図表示手段３２，表示された地図Ｍ上の何れかの調査地点Ｐを指定したときにその調査地点Ｐの調査項目Ｃの一覧をサーバー１０から読み出して表示する項目表示手段３４，表示された何れかの調査項目Ｃを指定したときにその項目Ｃの登録済撮影画像Ｇ及び画像未登録の撮影仕様Ｅの一覧をサーバー１０から読み出して表示する画像表示手段３６，並びに表示された画像未登録の撮影仕様Ｅを指定したときにそのデバイス２０のカメラ２３をその仕様Ｅに基づいて起動し且つその仕様の撮影画像Ｇを日付と共にサーバー１０へ登録する画像登録手段３７として機能させ，デバイス２０の携帯者Ａに複数の環境調査地点Ｐ１〜Ｐ７を移動させながら登録仕様Ｅの撮影画像Ｇを環境評価データとして収集させるので，次の有利な効果を奏する。
【００１３】
（イ）サーバー１０に複数の環境調査地点Ｐが設定された地図Ｍを登録し，ＧＰＳ測定器２２を有する携帯デバイス２０に地図Ｍを読み出してＧＰＳ測定値と重ねて表示することにより，デバイス２０の携帯者Ａが調査地点Ｐに容易に到達することができる。
（ロ）また，サーバー１０に各調査地点Ｐにおける調査項目Ｃを登録し，指定された調査地点Ｐの調査項目Ｃの一覧を携帯デバイス２０に表示することにより，各調査地点における調査データの漏れを防止することができる。
（ハ）更に，サーバー１０に調査項目Ｃ毎の撮影仕様Ｅを他の地点・時間の調査と関連付けて登録し，その撮影仕様Ｅに基づいて起動したカメラ２３によって画像Ｇを撮影することにより，環境評価の専門知識を有していない携帯者であっても，他の地点・時間との関連付けを踏まえたカメラ画像Ｇを撮影することができる。
【００１４】
（ニ）サーバー１０への撮影画像Ｇの登録時にサーバー１０から携帯デバイス２０に登録発生を通知し，例えば他のデバイス２０の携帯者である環境評価の専門技術者が登録された画像Ｇを表示しながら応答することにより，撮影画像Ｇを専門技術者の応答と共に記録することができる。
（ホ）例えば，画像Ｇの撮影者が撮影対象Ｂの動物又は植物の種類・名称が分からない場合であっても，他のデバイス２０の携帯者である環境評価の専門技術者が登録された画像Ｇを表示しながら撮影対象Ｂの動物又は植物の種類・名称を応答することにより，撮影画像Ｇを撮影対象Ｂの種類・名称と共に記録することができる。
（ヘ）携帯デバイス２０をカメラ２３の撮影対象Ｂまでの距離Ｌを計測する距離計測手段３９として機能させ，撮影画像Ｇにスケールを表示することにより，地点・時間の異なる撮影画像Ｇの関連付けの更なる容易化を図ることができる。
【図面の簡単な説明】
【００１５】
以下，添付図面を参照して本発明を実施するための形態及び実施例を説明する。
【図１】本発明の環境評価データ収集システムの一実施例のブロック図である。
【図２】本発明のサーバーに登録する地図Ｍ，調査地点Ｐ，調査項目Ｃ，撮影仕様Ｅ及び撮影画像Ｇの関係を示すデータ構造図の一例である。
【図３】本発明の携帯デバイスに地図Ｍを表示する地図表示手段の説明図である。
【図４】本発明の携帯デバイスに調査地点Ｐの調査項目Ｃの一覧を表示する項目表示手段の説明図である。
【図５】本発明の携帯デバイスに調査項目Ｃの登録済撮影画像Ｇ及び画像未登録の撮影仕様Ｅの一覧を表示する画像表示手段の説明図である。
【図６】本発明の携帯デバイスに距離計測手段を設けた実施例の説明図である。
【図７】本発明の環境評価データ収集プログラムの流れ図の一例である。
【図８】本発明の環境評価データ収集プログラムの流れ図の他の一例である。
【発明を実施するための形態】
【００１６】
図１は，ダムの建設工事現場Ｗの周辺地域の環境保全対策の評価に本発明の環境評価データ収集システムを適用した実施例を示す。図示例の工事現場Ｗの周辺地域は，例えば工事前において里山環境が形成されており，自然との触れ合いや生物多様性等を保全する観点から，その里山環境を構成する景観・動物・植物・生態系等が工事完成後においても維持されるような保全対策が講じられている。このため，図１（Ａ）に示すように，本発明の環境評価データ収集システムによって工事現場Ｗの周辺の複数の調査地点Ｐ１〜Ｐ７において景観・動物・植物・生態系等の環境評価データを継続的に収集（モニタリング）し，その環境評価データから工事現場周辺で里山環境の消失又は荒廃を評価（確認）し，消失又は荒廃が確認された区域には追加的な保全対策を講じる。
【００１７】
図示例の環境評価データ収集システムは，図１（Ｂ）に示すように，無線通信網１を介して接続されたサーバー・コンピュータ（以下，単にサーバーという）１０と複数の携帯デバイス・コンピュータ（以下，単に携帯デバイスという）２０ａ，２０ｂ，２０ｃ，２０ｄ，……とで構成されている。サーバー１０は，無線通信網１に接続する通信器１１と，工事現場Ｗの周辺地図Ｍ等を記憶する記憶手段１４とを有し，通信手段１２等の内蔵プログラムを有している。また各携帯デバイス２０は，無線通信網１に接続する通信器２１と，ＧＰＳ測定器２２と，プログラムによって撮影仕様を設定できるカメラ２３と，距離Ｌを計測する距離計測手段２４と，タッチパネル２５とを有し，通信手段３０及びタッチパネル３９の入出力手段３１等の内蔵プログラムを有している。
【００１８】
サーバー１０の記憶手段１４には，工事現場Ｗの周辺地図Ｍと，その地図Ｍ上に設定する複数の環境調査地点Ｐと，各調査地点Ｐにおいて調査すべき項目（景観・動物・植物・生態系等）Ｃと，その各項目Ｃに対応する日時付きの撮影仕様Ｅ，撮影画像Ｇ，景観の特徴等のテキストデータＴを記録する。図２は，記憶手段１４に記憶するデータ構造の一例を示す。地図Ｍは，例えば３次元ＣＡＤデータであり，予めサーバー１０の記憶手段１４に登録しておく。調査項目Ｃ，その項目Ｃに対応する撮影仕様Ｅ，撮影画像Ｇ，テキストデータＴ等は，後述するように何れかの携帯端末２０又は事務所のコンピュータ５０において設定又は作成し，無線通信網１及びサーバー１０の内蔵プログラムである登録手段１５を介して，記憶手段１４に登録する。地図Ｍ上には工事現場Ｗの周辺の立入禁止区域，危険区域等を併せて記載しておくことができ，そのような区域を記載しておくことにより，後述する地図Ｍを参照した周辺の移動を補助することができる。
【００１９】
サーバー１０は，内蔵プログラムとして，通信手段１２及び登録手段１５の他，通知手段１６及び応答記録手段１７を有している。また，サーバー１０の記憶手段１４には，各携帯デバイス２０の通信アドレスＵが登録されている。図１（Ｂ）に示すように，サーバー１０には環境評価データの収集に必要な地図Ｍ，調査地点Ｐ，調査項目Ｃ，撮影仕様Ｅだけでなく，各地点Ｐにおいて収集した撮影画像Ｇ，テキストデータＴも記憶されるので，無線通信網１に接続された全ての携帯デバイス２０において収集直後の撮影画像Ｇを確認することができる。サーバー１０の通知手段１６は，何れかの携帯端末２０により撮影画像Ｇ等が登録されたとき，記憶手段１４に通信アドレスＵが登録された携帯デバイス２０に対して登録発生を通知するものである。また，サーバー１０の応答記録手段１７は，通知に対して何れかの携帯デバイス２０が応答したときに，その応答Ｒを撮影画像Ｇと共に記録するものである。通知手段１６及び応答記録手段１７として，例えば従来のプッシュ型若しくはプル型（ポーリング型）の電子メールソフトウェア，又はソーシャルネットワークソフトウェア等を利用することができる。
【００２０】
他方，各携帯デバイス２０は，内蔵プログラムとして，通信手段３０及び入出力手段３１の他，地図表示手段３２，調査地点設定手段３３，調査項目表示手段３４，調査項目設定手段３５，画像表示手段３６，画像登録手段３７，画像仕様登録手段３８等を有している。環境評価データを収集する場合は，先ず環境評価の専門技術者（又は一般の作業員）がデバイス２０を携帯しながら工事現場Ｗの周辺を移動し，携帯デバイス２０の地図表示手段３２，調査地点設定手段３３，調査項目設定手段３５，画像仕様登録手段３８を使用しながら，評価データの収集に適する環境調査地点Ｐ，各地点Ｐにおける調査項目Ｃ，各項目Ｃにおける撮影仕様Ｅを設定してサーバー１０の記憶手段に登録する（準備モード又は新規モード）。次いで，一般の作業員（又は専門技術者）がデバイス２０を携帯しながら設定された調査地点Ｐに順次赴き（図１（Ａ）参照），携帯デバイス２０の地図表示手段３２，調査項目表示手段３４，画像表示手段３６，画像登録手段３７を使用しながら，設定された項目Ｃについて設定された仕様Ｅの画像Ｇを撮影してサーバー１０の記憶手段に登録する（調査モード又はモニタリングモード）。
【００２１】
以下，図７及び図８の流れ図を参照して，携帯デバイス２０の各内蔵プログラムの機能を説明する。図７は，携帯デバイス２０を用いて工事現場Ｗの周辺に評価データの収集に適する環境調査地点Ｐ，調査項目Ｃ，撮影仕様Ｅ等を設定する処理（準備モード又は新規モード）の流れ図を示す。先ずステップＳ１０１において工事現場Ｗの周辺の地図Ｍをサーバー１０の記憶手段１４に登録したうえで，ステップＳ１０２において，携帯デバイス２０の地図表示手段３２によりサーバー１０の地図Ｍを読み出し，そのデバイス２０のタッチパネル２５にＧＰＳ測定値と重ね合わせてデバイス２０のタッチパネル２５に表示する。
【００２２】
図３は，携帯デバイス２０のタッチパネル２５の地図表示欄２６を示し，ＧＰＳ測定値が地図表示欄２６に黒三角印として表示されることを示している。デバイス２０の携帯者は，タッチパネル２５に表示された地図Ｍ及びＧＰＳ測定値を参照しながら工事現場Ｗの周辺を移動し，評価データの収集に適する地点を見出したときは地図表示欄２６の新規ボタンを押下することにより調査地点設定手段３３を起動し，地図表示欄２６に示されたＧＰＳ測定値を新規な環境調査地点Ｐとして設定することができる。設定された調査地点Ｐは，無線通信網１及びサーバー１０の登録手段１５を介して，サーバー１０の記憶手段１４に直ちに登録される。或いは，設定された調査地点Ｐが通信状態が維持できない場所であるときを考慮して，携帯デバイス２０に設定情報を一時的に記憶する記憶手段（図示せず）を設け，通信状態が回復したのち又は適当なタイミングで登録情報を事後的に登録することも可能である。
【００２３】
次いで，図７のステップＳ１０３において，新規に設定環境調査地点Ｐにおいて収集すべき調査項目Ｃを設定する。図４は，図３のタッチパネル２５の地図表示欄２６の新規ボタンを押下したときに表示されるタッチパネル２５の指定表示欄２７及び一覧表示欄２８を示し，指定表示欄２７には指定された地点Ｐの名称等が表示され，一覧表示欄２８には地点Ｐにおいて収集する調査項目Ｃの一覧が表示されることを表す。デバイス２０の携帯者は，タッチパネル２５の一覧表示欄２８の新規ボタンを押下することにより調査項目設定手段３５を起動し，例えば調査地点Ｐにおいて継続的にモニタリングすべき景観Ｃ１，生息する動物又は植物Ｃ２，動植物の生態系や群生状況Ｃ３等を設定する。設定された調査項目Ｃは，無線通信網１及びサーバー１０の登録手段１５を介して，サーバー１０の記憶手段１４に直ちに又は事後的に登録される。調査項目設定手段３５を利用して，新規な調査地点Ｐだけでなく，既存の調査地点Ｐに新たな調査項目Ｃを設定することも可能である。
【００２４】
図７のステップＳ１０３において調査項目Ｃの設定を補助するため，工事現場Ｗの周辺に生息する可能性のある植物のリスト（例えば，針葉樹林，広葉樹林，水辺，草地，耕作地，耕作放棄地等），及び動物のリスト（例えば，種名と写真，生育環境の写真及び概要説明，鳴声等）を予めサーバー１０の記憶手段１４に記憶しておくことができる。例えば，図４の一覧表示欄２８のガイドボタンを押下することにより，タッチパネル２５の一覧表示欄２８に各調査地点Ｐにおいて生息可能性のある動植物のリストを表示する。調査地点Ｐの現況と表示されたリストとを比較参照することにより，各調査地点Ｐにおける調査項目Ｃの設定を援助することができる。
【００２５】
更に，図７のステップＳ１０４において，新規の調査項目Ｃに関して収集すべき画像Ｇの撮影仕様Ｅを設定する。図５は，図４のタッチパネル２５の一覧表示欄２８の新規ボタンを押下したときに表示されるタッチパネル２５の指定表示欄２７及び一覧表示欄２８を示し，指定表示欄２７には指定された項目Ｃの名称等が表示され，一覧表示欄２８には項目Ｃの登録済撮影画像Ｇ及び画像未登録の撮影仕様Ｅの一覧が表示されることを表す。デバイス２０の携帯者は，タッチパネル２５の一覧表示欄２８の新規ボタンを押下することにより撮影仕様登録手段３８を起動し，例えば項目Ｃに対応する画像Ｇの撮影仕様Ｅを設定する。設定された撮影仕様Ｅは，無線通信網１及びサーバー１０の登録手段１５を介して，サーバー１０の記憶手段１４に直ちに又は事後的に登録される。撮影仕様登録手段３８を利用して，新規な調査項目Ｃだけでなく，既存の調査項目Ｃに新たな撮影仕様Ｅを設定することも可能である。
【００２６】
携帯デバイス２０の撮影仕様登録手段３８は，例えば図７のステップＳ１０４において各項目Ｃの画像Ｇを撮影させ，その画像Ｇにおいて指定された撮影仕様Ｅを抽出して設定することができる。各調査地点Ｐにおいて調査する項目Ｃ（例えば動植物等）が同じであっても，調査地点Ｐ毎の撮影画像Ｇの方位（アングル）や倍率の撮影仕様Ｅが相違している。そのため，各地点Ｐにおいて調査項目Ｃ毎の撮影仕様Ｅを設定・登録しておくことにより，撮影毎に仕様が大きくばらつく問題を回避することができる。例えば，図２に示すように，調査項目Ｃ１が景観であるときは，撮影仕様Ｅとして景観を撮影すべき複数の方位（例えば東西南北の４方位）を設定し，調査項目Ｃ２が動植物であるときは，撮影仕様Ｅとして動植物を撮影すべき複数の倍率（例えば遠景，近撮，接写，周辺の４つの倍率）を設定する。
【００２７】
図７のステップＳ１０５において，全ての調査地点Ｐの設定が終了したか否かを判断し，他に調査すべき地点ＰがあるときはステップＳ１０２に戻って上述したステップＳ１０２〜Ｓ１０４を繰り返す。このステップＳ１０２〜Ｓ１０５を必要に応じて繰り返すことにより，図１（Ａ）に示すように，工事現場Ｗの周辺の地図Ｍ上に複数の環境調査地点Ｐを設定することができる。なお，以上の説明では環境評価の専門技術者等が携帯デバイス２０を用いて環境調査地点Ｐ，調査項目Ｃ，撮影仕様Ｅ等を設定するとしたが，例えば事務所のコンピュータ５０に上述した地図表示手段３２，調査地点設定手段３３，調査項目設定手段３５，画像仕様登録手段３８等の内蔵プログラムを搭載しておけば，そのコンピュータ５０を用いて事務所から事後的にサーバー１０の記憶手段１４に登録された環境調査地点Ｐ，調査項目Ｃ，撮影仕様Ｅ等を修正・変更することも可能である。
【００２８】
図８は，携帯デバイス２０を用いて，図７の流れ図に沿って設定された各調査地点Ｐにおいて各項目Ｃの画像Ｇを撮影してサーバー１０の記憶手段に登録する処理（調査モード又はモニタリングモード）の流れ図を示す。先ずステップＳ２０１において，携帯デバイス２０の携帯者は，デバイス２０の地図表示手段３２により複数の環境調査地点Ｐが設定されたサーバー１０の地図Ｍを読み出し，図３に示すように，デバイス２０のタッチパネル２５の地図表示欄２６にＧＰＳ測定値（黒三角印）と重ね合わせて表示する。このような地図Ｍを参照しながら移動することにより，デバイス２０の携帯者Ａは各調査地点Ｐに容易に到達することができる。
【００２９】
次いで，図８のステップＳ２０３において，何れかの調査地点Ｐに到着したデバイス２０の携帯者Ａは，タッチパネル２５に表示された地図Ｍ上でその到着地点Ｐを指定することによりデバイス２０の項目表示手段３４を起動し，図４に示すように，タッチパネル２５の一覧表示欄２８に到着地点Ｐにおいて設定された調査項目Ｃの一覧をサーバー１０から読み出して表示する。そして，ステップＳ２０４において，一覧表示された何れかの調査項目Ｃを指定することによりデバイス２０の画像表示手段３６を起動し，図５に示すように，タッチパネル２５の一覧表示欄２８に指定項目Ｃに関して設定された登録済撮影画像Ｇ及び画像未登録の撮影仕様Ｅの一覧をサーバー１０から読み出して表示する。
【００３０】
図８のステップＳ２０６は，図５の一覧表示欄２８に示された何れかの画像未登録の撮影仕様Ｅを指定したときに，そのデバイス２０のカメラ２３がその仕様Ｅに基づいて起動されることを示す。図５に示すように，調査項目Ｃが動植物であり，撮影仕様Ｅとして複数の倍率（例えば遠景，近撮，接写，周辺の４つの倍率）が設定されていることきは，例えば遠景の撮影仕様Ｅを指定するとデバイス２０のカメラ２３が遠景仕様で起動され，指定された項目Ｃ（例えば特定種類の動物）を遠景仕様で撮影することができる。また，図２に示すように調査項目Ｃが景観であり，撮影仕様Ｅとして複数の方位（例えば東西南北の４方位）が設定されているときは，例えば東向きの撮影仕様Ｅを指定するとデバイス２０のカメラ２３が遠景仕様で起動されるので，指定された項目Ｃ（東向きの景観）を遠景仕様で撮影することができる。撮影された画像Ｇは，無線通信網１及びサーバー１０の登録手段１５を介して，サーバー１０の記憶手段１４に直ちに又は事後的に登録される。
【００３１】
図８のステップＳ２０５において，全ての画像未登録の撮影仕様Ｅが指定されたか否かを判断し，他に画像未登録の撮影仕様ＥがあるときはステップＳ２０６に戻って上述したカメラ２０の起動及び撮影を繰り返す。また，ステップＳ２０７において，調査地点Ｐにおいて設定された全ての調査項目Ｃを指定して画像Ｇを撮影したか否かを判断し，未指定の調査項目ＣがあるときはステップＳ２０４に戻って上述したステップＳ２０４〜Ｓ２０７を繰り返す。このステップＳ２０４〜Ｓ２０５の繰り返しにより，デバイス２０の携帯者は，調査地点Ｐにおいて必要な画像Ｇを全て撮影することができ，その調査地点Ｐにおける調査データの漏れを防止することができる。
【００３２】
図８のステップＳ２０７は，何れかの調査地点Ｐにおける画像Ｇの撮影（調査データの収集）が終了したときに，サーバー１０の通知手段１６により，通信アドレスＵが登録された携帯デバイス２０に対して登録発生を通知することを示す。通知を受けたデバイス２０の携帯者は，通知によって調査地点Ｐにおける調査データの収集が完了したことを知り，無線通信網１を介してサーバー１０に登録された調査データを閲覧・確認し，必要な場合は各デバイス２０の応答手段４１（図１（Ｂ）参照）を起動して応答することができる。例えば画像Ｇの撮影者が撮影対象Ｂの動物又は植物の種類・名称が分からない場合であっても，他のデバイス２０の携帯者である環境評価の専門技術者が登録された画像Ｇを表示しながら撮影対象Ｂの動物又は植物の種類・名称を応答することにより，撮影画像Ｇを撮影対象Ｂの種類・名称と共に記録することができる。また，画像Ｇ中に予想外の貴重種類の動植物等が含まれている場合は，応答によって調査地点Ｐのデバイス携帯者に対して，追加画像Ｇの撮影等を依頼することもできる。通知に対して何らかの応答があったときに，サーバー１０の応答記録手段１７により，その応答Ｒを撮影画像Ｇと共に記録しておくことができる。
【００３３】
何れかの調査地点Ｐにおける画像Ｇの撮影（調査データの収集）が終了したのち，ステップＳ２０１へ戻り，ステップＳ２０２において全ての調査地点における画像Ｇの撮影（調査データの収集）が終了したか否かを判断し，調査データが未収集の調査地点Ｐが残っている場合はステップＳ２０３へ進み，上述したステップＳ２０３〜Ｓ２０８を繰り返す。図８の流れ図に沿って各調査地点Ｐの撮影画像Ｇをサーバー１０の記憶手段１４に登録することにより，全ての調査地点Ｐで漏れなく画像Ｇを収集することができる。しかも，各地点Ｐで収集する画像Ｇの撮影仕様Ｅが他の地点・時間の調査と関連付けて登録されているので，図８の流れ図に沿ってデータを収集することにより，環境評価の専門知識を有していない携帯者であっても，他の地点・時間との関連付けを踏まえたカメラ画像Ｇを撮影することができる。
【００３４】
こうして本発明の目的である「複数の作業員が相互に関連付けられたカメラ画像を簡単に撮影できる環境評価データ収集システム及びプログラム」の提供を達成することができる。
【実施例１】
【００３５】
図６は，携帯デバイス２０にカメラ２３の撮影対象Ｂまでの距離Ｌを計測する距離計測手段３９を搭載し，その計測距離Ｌに基づいてカメラ２３の撮影画像Ｇにスケールを表示する実施例を示す。上述したように本発明では，カメラ２３の撮影画像Ｇの撮影仕様Ｅを予めサーバー１０に登録しておき，登録された仕様Ｅに基づいてカメラ２３を起動して画像Ｇを撮影することにより，他の地点・時間との関連付けを踏まえたカメラ画像Ｇを撮影することができる。ただし，撮影画像Ｇには撮影対象Ｂの大きさが記録されておらず，後で希少種の動植物等を解析する際に重要な撮影対象Ｂの大きさの情報を取り忘れることがある。撮影画像Ｇにスケールが表示されていれば，撮影対象Ｇを解析する際に便利である。
【００３６】
図１（Ｂ）に示す携帯デバイス２０は，カメラ２３の撮影時に撮影対象Ｂまでの距離Ｌを自動的に計測する距離計測手段３９と，その計測距離Ｌからカメラ２３の撮影画像Ｇにスケールを表示するスケール表示手段４０とを有している。カメラ２３の焦点距離Ｆは一定であり，画像Ｇの倍率も設定されているので，撮影時に撮影対象Ｂまでの距離Ｌを計測すれば，その距離から画像Ｇのスケールを換算することができる。このスケールによって，調査地点Ｐにおいて撮影対象Ｂの大きさを計測し取り忘れることがなくなり，希少種の動植物等を解析精度を高めることができる。また，希少種のみならず，一般的な動植物であっても，研究室等に持ち帰って大きさを計測する必要がなくなり，工事現場Ｗの周辺の調査により動植物を減少させる弊害を防ぐことが期待できる。
【符号の説明】
【００３７】
１…無線通信網
１０…サーバー                      １１…通信器
１２…通信手段                      １４…記憶手段
１５…登録手段                      １６…通知手段
１７…応答記録手段
２０…携帯端末                      ２１…通信器
２２…ＧＰＳ測定器                  ２３…カメラ
２４…距離計測器                    ２５…タッチパネル
２６…地図表示欄                    ２７…指定表示欄
２８…一覧表示欄
３０…通信手段                      ３１…入出力手段
３２…地図表示手段                  ３３…調査地点設定手段
３４…調査項目表示手段              ３５…調査項目設定手段
３６…画像表示手段                  ３７…画像登録手段
３８…画像仕様登録手段              ３９…距離計測手段
４０…スケール表示手段              ４１…応答手段
５０…事務所のコンピュータ
Ｗ…工事現場
Ｍ…地図
Ｃ…項目
Ｇ…撮影画像
Ｅ…撮影仕様
Ａ…携帯者
Ｐ…環境調査地点
Ｒ…応答
Ｔ…テキストデータ
Ｂ…撮影対象
Ｌ…撮影対象Ｂまでの距離Ｌ
Ｕ…通信アドレス
【図１】
2017027474.tif 000003
【図２】
2017027474.tif 000004
【図３】
2017027474.tif 000005
【図４】
2017027474.tif 000006
【図５】
2017027474.tif 000007
【図６】
2017027474.tif 000008
【図７】
2017027474.tif 000009
【図８】
2017027474.tif 000010